(57)【要約】【課題】場所を採らず、小物商品であっても多種類で数多くの商品を陳列できる商品陳列装置を提供すること。【解決手段】略矩形横断面の１本の支柱１と、支柱１の前後側面に同一高さで形成される互いが対称形の一対の第１係止部５ａ、５ｂと、第１係止部の左右側部のいずれか一方に着脱自在に係止する第２係止部６ａ、６ｂを有する商品収容棚部２ａ、２ｂと、を有し、第１係止部は、支柱の前後側面から前後方向に突出する底板と、該底板の外端から上方に起立する側周壁と、支柱の前後側面と対峙する前後側周壁の中央部に縦に切り欠かれた壁切欠部と、を有し、商品収納棚部の第２係止部を、一対の第１係止部に対して下方に下ろすことで、第１係止部と第２係止部を係止させる商品陳列装置１０。【選択図】図２
2020195460.tif 000002
【特許請求の範囲】
【請求項１】
上下方向に延びる略矩形横断面の１本の支柱と、
該支柱の前後側面に同一高さで形成される互いが対称形の一対の第１係止部と、
該一対の第１係止部の左右側部のいずれか一方に着脱自在に係止する第２係止部を有する商品収容棚部と、を有し、
該第１係止部は、該支柱の前後側面から前後方向に突出する底板と、該底板の外端から上方に起立する側周壁と、該支柱の前後側面と対峙する前後側周壁の左右方向の中央部に上方から下方に向けて切り欠かれた壁切欠部と、を有し、該支柱の前後側面と該底板と該側周壁で囲まれる係止空間が形成され、
該商品収納棚部の第２係止部を、該一対の第１係止部に対して上方から下方に下ろすことで、第１係止部と該第２係止部を係止させ、該支柱に該商品収容棚部が設置されることを特徴とする商品陳列装置。
【請求項２】
該一対の第１係止部の左右側部の一方における側周壁は、一方が前方底板の外端に形成される平面視が略Ｌ字形状の前方係止壁であり、他方が、後方底板の外端に形成される平面視が略Ｌ字対称形状の後方係止壁であることを特徴とする請求項１記載の商品陳列装置。
【請求項３】
該第２係止部は、該第１係止部の該前方係止壁に嵌る前方係止凹部と、該第１係止部の該後方係止壁に嵌る後方係止凹部と、を有することを特徴とする請求項２記載の商品陳列装置。
【請求項４】
該前方係止凹部は、該第１係止部の前方係止壁の両側の周側面、上面及び該壁切欠部側の端面に当接する面を有し、
該後方係止凹部は、該第１係止部の後方係止壁の両側の周側面、上面及び該壁切欠部側の端面に当接する面を有することを特徴とする請求項３記載の商品陳列装置。
【請求項５】
該支柱の左側部に、一の商品収納棚部を設置し、該支柱の右側部に、他の商品収納棚部を設置することを特徴とする請求項１〜４のいずれか１項に記載の商品陳列装置。
【請求項６】
該一対の第１係止部は、該支柱の上下方向に所定のピッチで多数形成されることを特徴とする請求項１〜５のいずれか１項に記載の商品陳列装置。
【請求項７】
該商品収納棚部は、箱状容器であることを特徴とする請求項１〜６のいずれか１項に記載の商品陳列装置。
【請求項８】
該第１係止部は、該底板が省略され、該支柱の前後側面と該側周壁で囲まれる第２係止空間が形成されたものであることを特徴とする請求項１記載の商品陳列装置。 
【発明の詳細な説明】
【技術分野】
【０００１】
本発明は、例えば、スーパー、専門店などにおいて狭いスペースでも設置できる商品陳列装置に関するものである。
【背景技術】
【０００２】
スーパー、専門店、量販店などにおいて商品を陳列する代表的なものとして、多段商品陳列棚が知られている。この多段商品陳列棚としては、例えば、２本の支柱と、該支柱に付設されるブラッケトと、左右のブラケット間に差し渡しで設置される棚板部材を有するものが挙げられる。この多段商品陳列棚は、構造が簡単で、商品陳列面積が大であり、壁面に接して設置されることが多い。
【０００３】
一方、スーパー、専門店などにおいて、レジ近傍あるいは大型の多段商品陳列棚のコーナ近傍において、小物商品を陳列したい場合がある。このような小物商品の陳列は、例えば、多段商品陳列棚の支柱を利用した吊り下げ型の商品陳列具が使用される。しかしながら、吊り下げ型の商品陳列具は、場所を採らないという長所を有する反面、その構造から、小物で、軽量で且つ少ない数量の商品の陳列に限定されるという問題がある。このため、大型の多段商品陳列棚と吊り下げ型の商品陳列具の中間に位置する、設置場所を採らない中型の商品陳列装置の開発が望まれていた。
【０００４】
なお、中型の商品陳列装置は、支柱と商品収容棚部との係止関係が必須となる。特開２０１６−９３３２７号公報には、少なくとも２本の支柱と、該２本の支柱間に架設される長手方向に伸縮自在の架設部材と、該支柱の架設部材が延びる方向に面が向いている両側面であって、且つ該支柱の長手方向に適宜の間隔で複数形成される係止突起と、該架設部材の両端に固設される該支柱の係止突起に係止する係止部材と、を有し、該係止突起の該架設部材が延びる方向から見た左右の側面は、下方に向けて漸次拡大するテーパ面であり、
該係止部材は、該架設部材が延びる方向と直交する前後方向の一方が開口する平面視がコ字形状であり、該コ字形状の対峙する両側部の内周面には、該係止突起のテーパ面に対応する内テーパ面が形成されたものであることを特徴とする置棚装置が開示されている。この置棚装置によれば、パイプ部材側の係止部材は平面視がコ字形状であるため、支柱に対して内側接続と外側接続の両方ができ、前後方向の僅かな空間を有効利用できる。また、支柱側の係止突起とパイプ部材側の係止部材との係止を外す際、支柱の他の側面に形成された係止凹部に例えばドライバーのマイナス端を差し込み、ドライバーの先端を支点としてパイプ部材側の係止部材を上方へ押し上げれば、てこの原理で係止を簡単に解除することができる。
【０００５】
また、米国特許番号７１９１９０８Ｂ２によれば、少なくとも２つの垂直材と、少なくとも１つの梁材と、を有するラックであって、前記梁材が、前記２つの垂直材の間に延び、前記垂直材に面するその端部にカプラーを有し、前記垂直材の少なくとも１つが少なくとも１つの連結カムが備え、前記カプラーが前記連結カムに適合するカム受け溝を備え、前記カム受け溝が少なくとも１つの開口端を有し且つカム支持壁によって少なくとも部分的に区切られ、前記少なくとも１つの垂直材と前記補助カプラーとが少なくとも１つの実質的に垂直に延びる結合リブをさらに備え、前記少なくとも１つの垂直材のもう一方と前記カプラーとが前記結合リブに適合するリブ受け溝を備え、少なくとも１つの自由端が実質的に前記梁材の長手方向軸の方向にあり、前記連結リブの断面の自由端が、前記梁材の長手方向軸に対して垂直方向に延びることを特徴とするラックが開示されている。
【先行技術文献】
【特許文献】
【０００６】
【特許文献１】特開２０１６−９３３２７号公報
【特許文献２】米国特許番号７１９１９０８Ｂ２
【発明の開示】
【発明が解決しようとする課題】
【０００７】
しかしながら、上記公報記載の置棚装置やラックは、４本の支柱を使用しており、やはり設置場所がとられ、レジ近傍や大型の多段商品陳列棚のコーナ近傍において使用することはできない。このため、場所を採らず、小物商品であっても多種類で数多くの商品を陳列できる中型の商品陳列装置の開発が望まれていた。
【０００８】
従って、本発明の目的は、場所を採らず、小物商品であっても多種類で数多くの商品を陳列できる商品陳列装置を提供することにある。
【課題を解決するための手段】
【０００９】
すなわち、本発明は、上記従来の課題を解決するものであって、
上下方向に延びる略矩形横断面の１本の支柱と、
該支柱の前後側面に同一高さで形成される互いが対称形の一対の第１係止部と、
該一対の第１係止部の左右側部のいずれか一方に着脱自在に係止する第２係止部を有する商品収容棚部と、を有し、
該第１係止部は、該支柱の前後側面から前後方向に突出する底板と、該底板の外端から上方に起立する側周壁と、該支柱の前後側面と対峙する前後側周壁の左右方向の中央部に上方から下方に向けて切り欠かれた壁切欠部と、を有し、該支柱の前後側面と該底板と該側周壁で囲まれる係止空間が形成され、
該商品収納棚部の第２係止部を、該一対の第１係止部に対して上方から下方に下ろすことで、第１係止部と該第２係止部を係止させ、該支柱に該商品収容棚部が設置されることを特徴とする商品陳列装置を提供するものである。
【００１０】
また、本発明は、該一対の第１係止部の左右側部の一方における側周壁は、一方が前方底板の外端に形成される平面視が略Ｌ字形状の前方係止壁であり、他方が、後方底板の外端に形成される平面視が略Ｌ字対称形状の後方係止壁であることを特徴とする前記商品陳列装置を提供するものである。
【００１１】
また、本発明は、該第２係止部は、該第１係止部の該前方係止壁に嵌る前方係止凹部と、該第１係止部の該後方係止壁に嵌る後方係止凹部と、を有することを特徴とする前記商品陳列装置を提供するものである。
【００１２】
また、本発明は、該前方係止凹部は、該第１係止部の前方係止壁の両側の周側面、上面及び該壁切欠部側の端面に当接する面を有し、
該後方係止凹部は、該第１係止部の後方係止壁の両側の周側面、上面及び該壁切欠部側の端面に当接する面を有することを特徴とする前記商品陳列装置を提供するものである。
【００１３】
また、本発明は、該支柱の左側部に、一の商品収納棚部を設置し、該支柱の右側部に、他の商品収納棚部を設置することを特徴とする前記商品陳列装置を提供するものである。
【００１４】
また、本発明は、該一対の第１係止部は、該支柱の上下方向に所定のピッチで多数形成されることを特徴とする前記商品陳列装置を提供するものである。
【００１５】
また、本発明は、該商品収納棚部は、箱状容器であることを特徴とする前記商品陳列装置を提供するものである。
【００１６】
また、本発明は、該第１係止部は、該底板が省略され、該支柱の前後側面と該側周壁で囲まれる第２係止空間が形成されたものであることを特徴とする前記商品陳列装置を提供するものである。
【発明の効果】
【００１７】
本発明によれば、１本の支柱で、上下多段でしかも左右両側に商品収容棚部を設置できるため、場所を採らず、小物商品であっても多種類で数多くの商品を陳列できる。
【図面の簡単な説明】
【００１８】
【図１】本発明の実施の形態における商品陳列装置の分解斜視図である。
【図２】図１の商品陳列装置の拡大部分斜視図である。
【図３】図１の商品陳列装置を構成する支柱の部分斜視図である。
【図４】図３の支柱の平面図である。
【図５】図３の支柱の拡大部分正面図である。
【図６】図１の商品陳列装置を構成する商品収納棚部の斜視図である。
【図７】図７の商品収納棚部の平面図である。
【図８】図７のＸ１−Ｘ１線に沿って見た部分断面図である。
【図９】図７のＸ２方向から見た側面図である。
【図１０】図７のＸ３方向から見た部分裏面図である。
【図１１】支柱の第１係止部と商品収納棚部の第２係止部の係止関係を説明する図である。
【図１２】図１の商品陳列装置において、支柱から商品収納棚部を取り外す方法を説明する図であり、（Ａ）、（Ｂ）及び（Ｃ）の順の工程を経て、取り外す。
【発明を実施するための形態】
【００１９】
次に、本発明の実施の形態における商品陳列装置を図１〜図１２を参照して説明する。本明細書中、略矩形横断面の支柱の前後左右の４面の中、第１係止部が形成される対峙する２つの面が前後の面であり、この前後面に略直交する２つの面が左右の面であり、「前後」及び「左右」はこの方向に準じる。図４中、符号Ｘが正面の前方、符号Ｙが後方である。
【００２０】
商品陳列装置１０は、１本の支柱１と、少なくとも１つの商品収容棚部２を有する。１本の支柱１は、上下方向に延びる略矩形横断面の中空の支柱であり、前後の面１１ａ、１１ｂには、第１係止部５が、上下方向に所定のピッチで多数（本例では３６個、前後合計で７２個）形成されている。支柱１は、下端が４つの車輪４ａ〜４ｃを有する板状の基台３に固定されている。これにより、商品陳列装置１０は、設置面積を採らず、床面を走行自在である。所定のピッチとしては、最小ピッチが商品収納棚部２の第２係止部６の最大高さよりやや大である。これにより、上下に隣接する第１係止部５、５間に商品収納棚部の第２係止部６を挿入して設置することができる。
【００２１】
商品陳列装置１０において、第１係止部５（５ａ、５ｂ）は、支柱１の前後側面１１ａ、１１ｂに互いに同一高さで形成され、第１係止部５ａと第１係止部５ｂは同一形状で互いが対称形である。また、上下方向に形成される多数の第１係止部５ａ（５ｂ）は、いずれも同一形状である。このため、第１係止部５の形状は、同一高さにある一対の第１係止部５ａ、５ｂについて説明する。
【００２２】
第１係止部５は（５ａ、５ｂ）、支柱１の前後側面１１ａ、１１ｂから前後方向に突出する底板５２ａ、５２ｂと、底板５２ａ、５２ｂの外端から上方に起立する側周壁５１ａ、５１ｂと、支柱１の前後側面１１ａ、１１ｂと対峙する前後側周壁の左右方向の中央部に上方から下方に向けて切り欠かれた壁切欠部５３ａ、５３ｂと、を有し、支柱１の前後側面１１ａ、１１ｂと底板５２ａ、５２ｂと側周壁５１ａ、５１ｂで囲まれる係止空間５７ａ、５７ｂが形成される（図４参照）。
【００２３】
すなわち、一対の第１係止部５ａ、５ｂの側周壁５１ａ、５１ｂの右側部は、前方が前方底板５２ａの外端に形成される平面視が略Ｌ字形状の前方係止壁５ａ１であり、後方が後方底板５２ｂの外端に形成される平面視が略Ｌ字対称形状の後方係止壁５ｂ１である。また、一対の第１係止部５ａ、５ｂの側周壁５１ａ、５１ｂの左側部は、前方が前方底板５２ａの外端に形成される平面視が略Ｌ字形状の前方係止壁５ａ２であり、後方が後方底板５２ｂの外端に形成される平面視が略Ｌ字対称形状の後方係止壁５ｂ２である。前方係止壁５ａ１は、前方第１係止前壁５４ａ１とこれに連続する前方第１係止側壁５５ａ１とからなる。また、後方係止壁５ｂ１は後方第１係止前壁５４ｂ１とこれに連続する後方第１係止側壁５５ｂ１とからなる。また、前方係止壁５ａ２は、前方第２係止前壁５４ａ２とこれに連続する前方第２係止側壁５５ａ２とからなる。また、後方係止壁５ｂ２は後方第２係止前壁５４ｂ２とこれに連続する後方第２係止側壁５５ｂ２とからなる。
【００２４】
商品陳列装置１０において、支柱１の右側部の第１係止部５の前方係止壁５ａ１及び後方係止壁５ｂ１には、ひとつの商品収容棚部２ａの第２係止部６ａが係止し、支柱１の左側部の第１係止部５の前方係止壁５ａ２及び後方係止壁５ｂ２には、他のひとつの商品収容棚部２ｂの第２係止部６ｂが係止する。  
【００２５】
商品収容棚部２は、支柱１の第１係止部５に係止する第２係止部６を有する。商品収容棚部２は、本例では、四角形の箱状容器であり、４つの側板の中、ひとつの側板の前後方向の中央部に第２係止部６が形成されている。第２係止部６ａは、第１係止部５ａの前方係止壁５ａ１に嵌る前方係止凹部６ａ１と、第１係止部５ｂの後方係止壁５ｂ１に嵌る後方係止凹部６ａ２を有する。
【００２６】
第２係止部６ａは、支柱１の本体部１１の左右方向の半分の略寸法に挿入される凹部６１ａが形成され、凹部６１ａの左右（商品陳列装置としては前後）上端部にそれぞれ突出部が形成され、この突出部の裏面に、第１係止部６の前方係止壁５ａ１に対応する形状の前方係止凹部６ａ１が、後方係止壁５ｂ１に対応する形状の後方係止凹部６ａ２が形成されたものである。
【００２７】
すなわち、前方係止凹部６ａ１は、第１係止部５ａの前方係止壁５ａ１の両側の周側面、上面及び壁切欠部側の端面に当接する面を有し、後方係止凹部６ａ２は、第１係止部５ａの後方係止壁５ｂ１の両側の周側面、上面及び壁切欠部側の端面に当接する面を有する。
【００２８】
第２係止部６ａにおいて、前方係止凹部６ａ１は、平面視が略矩形状の天板６２ａ１の前端から下方に突出する前方壁部６２３ａ１と、これに連続する天板６２ａ１の内側端から下方に突出する側方壁部６２２ａ１とで形成される略Ｌ字形状の突起から形成される凹部であり、略Ｌ字形状の突起と商品収容棚部２の本体側壁６３ａ１で囲まれる空間が、第１係止部５ａの前方係止壁５ａ１の形状に対応する。
【００２９】
第２係止部６ａにおいて、後方係止凹部６ａ２は、平面視が略矩形状の天板６２ａ２の前端から下方に突出する前方壁部６２３ａ２と、これに連続する天板６２ａ２の内側端から下方に突出する側方壁部６２２ａ２とで形成される略Ｌ字形状の突起から形成される凹部であり、略Ｌ字形状の突起と商品収容棚部２の本体側壁６３ａ２で囲まれる空間が、第１係止部５ｂの後方係止壁５ｂ１の形状に対応する。
【００３０】
商品収容棚部２ａは、陳列商品を収容するものであり、支柱１の右側部に設置され、底板２２ａと前後左右側板２１ａを有する有底四角形の箱状物である。また、商品収容棚部２ｂは、商品収容棚部２ａと同一物であり、支柱１の左側部に設置され、底板２２ｂと前後左右側板２１ｂを有する有底四角形の箱状物である。商品収容棚部２は、第２係止部６を有していればよく、深さ、奥行き及び左右幅の各寸法は適宜、決定される。
【００３１】
次に、支柱１に商品収容棚部２を設置する方法を図１２を参照して説明する。支柱１に商品収容棚部２を設置する順序は、図１２の（Ｃ）〜（Ａ）の順で行われる。先ず、支柱１に設置する高さにある第１係止部５を決定し、次いで、商品収容棚部２の第２係止部６を、この第１係止部５の上方隙間に横方向から挿入し、第２係止部６の第１凹部６１ａの奥の面が支柱１に当接するまで挿入する。これにより、支柱１の第１係止部５と商品収納棚部２の第２係止部６が上下方向において対峙する（図１２（Ｃ）及び（Ｂ））。次いで、商品収納棚部２の第２係止部６を、一対の第１係止部５に対して下方に下ろすことで、第１係止部５と第２係止部６を係止させ、支柱１に商品収容棚部２を設置させる。
【００３２】
すなわち、支柱１の右側部の略Ｌ字形状で凸状の前方係止壁５ａ１と略Ｌ字形状で凸状の後方係止壁５ｂ１には、商品収容棚部２ａの第２係止部６ａの前方係止凹部６ａ１と後方係止凹部６ａ２が係止し、支柱１の左側部の略Ｌ字形状で凸状の前方係止壁５ａ２と略Ｌ字形状で凸状の後方係止壁５ｂ２には、商品収容棚部２ｂの第２係止部６ｂの前方係止凹部６ｂ１と後方係止凹部６ｂ２が係止する。具体的には、図１１に示すように、商品収容棚部２ａの前方係止凹部６ａ１の内壁面は、支柱１の第１係止部５ａの前方係止壁５ａ１の両側の周側面、上面及び壁切欠部側の端面の各面に当接する。また、商品収容棚部２ａの前方係止凹部６ａ２の内壁面は、支柱１の第１係止部５ａの後方係止壁５ｂ１の両側の周側面、上面及び壁切欠部側の端面の各面に当接する。また、商品収容棚部２ｂの前方係止凹部６ｂ１の内壁面は、支柱１の第１係止部５ｂの前方係止壁５ａ２の両側の周側面、上面及び壁切欠部側の端面の各面に当接する。また、商品収容棚部２ｂの前方係止凹部６ｂ２の内壁面は、支柱１の第１係止部５ｂの後方係止壁５ｂ２の両側の周側面、上面及び壁切欠部側の端面の各面に当接する。また、商品収容棚部２の凹部６１ａの背面は支柱１の左右側面に当接している。このように、商品収容棚部２は、第２係止部６が、支柱１の第１係止部５に係止し、更に支柱１の左右側面に当接しているため、下方向及び横方向の外力に対して、安定した強い支持力を発揮する。
【００３３】
次に、支柱１から商品収容棚部２を取り外す方法を図１２を参照して説明する。支柱１から商品収容棚部２を取り外す順序は、図１２の（Ａ）〜（Ｃ）の順で行われる。先ず、商品収容棚部２を上方に持ち上げ、支柱１との係止を外し、商品収容棚部２を横方向で支柱１とは反対の方向に引き抜く（図１２（Ｂ）及び（Ｃ））。これにより、支柱１から商品収容棚部２を取り外すことができる。
【００３４】
商品陳列装置１０において、商品収容棚部２は、支柱１の左右側部のいずれか一方、又は両方に設置することができる。また、支柱１に、商品収容棚部２を左右両側部に設置する場合、２つの商品収納棚部２、２は、同一高さに設置してもよく、異なった高さに設置してもよい。また、支柱１には、上下後方に複数の商品収納棚部２を多段に設置することができる。商品陳列装置１０は、床面等への設置面積は、基台３又は左右２つの商品収納棚部２の大きい方の投影面積で済み、場所を採らない。
【００３５】
本発明の商品陳列装置１０は、上記実施の形態例に限定されず、種々の変形例を採ることができる。商品収容棚部２は、図１のような４つの側板を有する箱状容器に限定されず、側板の無い板状体など種々の形状容器又は棚板が使用できる。また、支柱１は正四角形断面形状に限定されず、前後一対の第１係止部が形成されていない左右面は、外側に少し凸の面であってもよい。この場合、商品収容棚部２の第２係止部６の形状は、それに対応した形状とすればよい。また、支柱１の断面形状は、長方形であってもよい。
【００３６】
商品陳列装置１０において、第１係止部５の底板５２ａ、５２ｂは省略されてもよい。この場合、第１係止部５は、左右の前方係止壁５ａ１、５ａ２が連続する環状のもの、又は環状のものが中央で分断された右側の平面視が略Ｌ字形状の突起と、左側の平面視が略Ｌ字形状の突起とからなる。このような第１係止部５は、支柱１の前後側面と側周壁で囲まれる第２係止空間が形成される。
【産業上の利用可能性】
【００３７】
本発明の商品陳列装置は、場所を採らず、小物商品であっても多種類で数多くの商品を陳列できる。このため店側にとっては、顧客の目に留まり易い位置に簡単に設置でき、顧客は、季節物、目玉品などほしい商品が目に付き易く、都合がよい。
【符号の説明】
【００３８】
１        支柱
２        商品収容棚部
３        基台
４        車輪
５（５ａ、５ｂ）        第１係止部
５ａ１、５ａ２      前方係止壁
５ｂ１、５ｂ２      後方係止壁
６（６ａ、６ｂ）        第２係止部
６ａ１                前方係止凹部
６ａ２                後方係止凹部
１０      商品陳列装置
【図１】
2020195460.tif 000003
【図２】
2020195460.tif 000004
【図３】
2020195460.tif 000005
【図４】
2020195460.tif 000006
【図５】
2020195460.tif 000007
【図６】
2020195460.tif 000008
【図７】
2020195460.tif 000009
【図８】
2020195460.tif 000010
【図９】
2020195460.tif 000011
【図１０】
2020195460.tif 000012
【図１１】
2020195460.tif 000013
【図１２】
2020195460.tif 000014